(57)【特許請求の範囲】
【請求項１】
製品を構成する部品それぞれには同定する部品番号（ＰＮ）が設定され、それら各部品を記載した図面にはそれぞれ同定する図面番号（ＤＮ）が設定されており、前記製品の構成を示す部品表や製品の設計情報を記憶し且つそれらのデータを端末機（５Ａ）との間で中間処理ユニット（４）を介して入出力する第１のサーバ（１）と、それら各部品を記載した図面をイメージデータ（ＩＭ）として記憶し且つそれらのデータを端末機（５Ｂ）との間で入出力する第２のサーバ（２）と、前記第１のサーバ（１）に接続されたホストコンピュータ（３）とを備え、所望する部品のイメージデータ（ＩＭ）を検索し出力する図面検索システムにおいて、前記第２のサーバ（２）に前記イメージデータ（ＩＭ）を記憶するブロック（１２）と、各部品の部品番号（ＰＮ）とその部品が記載された図面の図面番号（ＤＮ）とを関連付けるデータ（Ｄ）を記憶したデータベース（７）と、それらの部品番号（ＰＮ）を対応する図面番号（ＤＮ）に変換する変換手段（８）とを設け、そしてその第２のサーバ（２）は端末機（５Ｂ）から所望する部品の部品番号（ＰＮ）が入力されたなら前記データベース（７）の部品番号と図面番号とを関連付けるデータ（Ｄ）を参照して前記変換手段（８）によりその部品番号（ＰＮ）を対応する図面番号（ＤＮ）に変換し、且つ端末機（５Ｂ）にその変換された図面番号（ＤＮ）を出力し、さらに端末機（５Ｂ）から前記出力した図面番号（ＤＮ）が所望するものであると入力されたならば前記ブロック（１２）からその図面番号（ＤＮ）のイメージデータ（ＩＭ）を選択し端末機（５Ｂ）に出力する機能を有し、そして前記中間処理ユニット（４）は設計通知が入力されると添付された部品表や製品の設計情報を前記第１のサーバ（１）に転送するとともにイメージデータ（ＩＭ）を前記第２のサーバ（２）に転送し、さらに前記第２のサーバ（２）が部品番号と図面番号とを関連付けるデータ（Ｄ）を作成して前記データベース（７）のメンテナンスを行う機能を有していることを特徴とする図面検索システム。
【請求項２】
製品を構成する部品それぞれには同定する部品番号（ＰＮ）が設定され、それら各部品を記載した図面にはそれぞれ同定する図面番号（ＤＮ）が設定されており、前記製品の構成を示す部品表や製品の設計情報を記憶し且つそれらのデータを端末機（５Ａ）との間で中間処理ユニット（４）を介して入出力する第１のサーバ（１）と、それら各部品を記載した図面をイメージデータ（ＩＭ）として記憶し且つそれらのデータを端末機（５Ｂ）との間で入出力する第２のサーバ（２）と、前記第１のサーバ（１）に接続されたホストコンピュータ（３）とを備え、所望する部品のイメージデータ（ＩＭ）を検索し出力する図面検索システムにおいて、前記第２のサーバ（２）に前記イメージデータ（ＩＭ）を記憶するブロック（１２）と、各部品の部品番号（ＰＮ）とその部品が記載された図面の図面番号（ＤＮ）とを関連付けるデータ（Ｄ）を記憶したデータベース（７）と、それらの部品番号（ＰＮ）を対応する図面番号（ＤＮ）に変換する変換手段（８）とを設け、そしてその第２のサーバ（２）は端末機（５Ｂ）から所望する部品の部品番号（ＰＮ）が入力されたなら前記データベース（７）の部品番号と図面番号とを関連付けるデータ（Ｄ）を参照して前記変換手段（８）によりその部品番号（ＰＮ）を対応する図面番号（ＤＮ）に変換し、且つその変換された図面番号（ＤＮ）とその略図とを出力し、さらに端末機（５Ｂ）から前記出力した図面番号（ＤＮ）が所望するものであると入力されたならば前記ブロック（１２）からその図面番号（ＤＮ）のイメージデータ（ＩＭ）を選択し出力する機能を有し、そして前記中間処理ユニット（４）は設計通知が入力されると添付された部品表や製品の設計情報を前記第１のサーバ（１）に転送するとともにイメージデータ（ＩＭ）を前記第２のサーバ（２）に転送し、さらに前記第２のサーバ（２）が部品番号と図面番号とを関連付けるデータ（Ｄ）を作成して前記データベース（７）のメンテナンスを行う機能を有していることを特徴とする図面検索システム。
【発明の詳細な説明】
【０００１】
【発明の属する技術分野】
本発明は、各種設計図面のイメージデータの検索技術に関する。より詳細には、各種設計図面のイメージデータを保存しているサーバユニットと、部品表に関する情報を保存、管理しているサーバユニットと、設計図面や部品表の発行・改廃等の処理を行う設計通知等を管理する電子設計通知システム、とを有する様なシステムから、所望の図面のイメージデータを検索するための技術に関する。
【０００２】
【従来の技術】
従来の図面検索方法及びシステムの構成の一例を図４に示す。
製品（商品）の構成を示す部品表や、構成する部品の改廃などの各種設計情報は、第１のサーバ１に記憶されており、また各部品の図面などはイメージデータとして、第２のサーバ２に記憶されている。
【０００３】
第１のサーバ１には、中間処理ユニット４を介して設計者が設計通知などの設計情報を入力する端末機５Ａが複数台接続されており、また、中間処理ユニット４にはＣＡＤ端末６が接続され、さらに第２のサーバ２に接続されてイメージデータＩＭが入出力されるようになっている。
また、第２のサーバ２には、イメージデータＩＭを取得するための端末機５Ｂが複数台接続されており、その端末機５Ｂは、後記する部品番号ＰＮから図面番号ＤＮを取得するために第１のサーバ１に接続されている。なお、第１のサーバ１にはホストコンピュータ３が併設され、互いに接続されて同期が取られており、端末機５Ｃがコンピュータ３に接続されて限定された条件下で設計情報などにアクセスできるようになっている。
【０００４】
製品を構成する各部品にはそれぞれ同定する部品番号ＰＮが設定されており、それらの各部品の形状寸法・仕様などは設計図面に記載されて規定されている。そして、それらの図面には、それぞれ図面番号ＤＮが付されて同定されている。
【０００５】
一方、各部品（すなわち部品番号）に対応するいわゆる設計図面は、複数部分に分割されて複数枚の図面（分割図）となっている場合や、仕様図、提案図などがあり、また、図面にも、一枚の図面（１図面番号）に複数の部品が記載されている場合（集合図）があるなど、１つの部品番号ＰＮに対して１つの図面番号ＤＮが対比しているとは限らない。
【０００６】
そこで、ある部品についての図面（イメージデータ）を取得する（表示させる）場合には、まず、第１のサーバ１に対して部品番号ＰＮを入力してその部品の記載されている図面の（単一または複数の）図面番号ＤＮを取得し、所望する図面番号ＤＮを選択してそれを第２のサーバ２に入力し、部品のイメージデータＩＭを表示させる必要があった。
このような図面検索（表示）方法では、まず第１のサーバ１から図面番号ＤＮを取得し、それを第２のサーバ２に対して入力せねばならず面倒であり、そして、１つの部品に複数の図面番号ＤＮが出力された場合には、図面番号ＤＮを全て控え、各々図面検索してイメージを表示して確認するなど煩雑な操作が必要な場合があった。
【０００７】
また、図面検索システムにおいては、設計変更や設計情報の追加など、あるいは部品構成の改廃・追加新設など（設計通知の発行）が随時行われており、図面検索システムの前記の部品番号ＰＮと図面番号ＤＮとの関連づけデータは、これに対応して常時メンテナンスされ常に最新かつ正確なデータが検索されるように管理されていなければならない。
【０００８】
【発明が解決しようとする課題】
本発明は、所望部品の図面をイメージデータとして表示させるに際し、対応する図面番号を検索することなく、直接部品番号を入力することで出力させることができる図面検索システムを提供することを目的としている。
【００１０】
【課題を解決するための手段】
本発明によれば、製品を構成する部品それぞれには同定する部品番号ＰＮが設定され、それら各部品を記載した図面にはそれぞれ同定する図面番号ＤＮが設定されており、前記製品の構成を示す部品表や製品の設計情報を記憶し且つそれらのデータを端末機５Ａとの間で中間処理ユニット４を介して入出力する第１のサーバ１と、それらの構成部品を記載した図面をイメージデータＩＭとして記憶し且つそれらのデータを端末機５Ｂとの間で入出力する第２のサーバ２と、前記第１のサーバ１に接続されたホストコンピュータ３とを備え、所望する構成部品のイメージデータＩＭを検索し出力する図面検索システムにおいて、前記第２のサーバ２に前記イメージデータを記憶するブロック１２と、各構成部品の部品番号ＰＮとその部品が記載された図面の図面番号ＤＮとを関連付けるデータＤを記憶したデータベース７と、それらの部品番号ＰＮを対応する図面番号ＤＮに変換する変換手段８とを設け、そしてその第２のサーバ２は端末機５Ｂから所望する構成部品の部品番号ＰＮが入力されたなら前記データベース７の部品番号と図面番号とを関連付けるデータＤを参照して前記変換手段８によりその部品番号ＰＮを対応する図面番号ＤＮに変換し、且つ端末機５Ｂにその変換された図面番号ＤＮを出力し、さらに端末機５Ｂから前記出力した図面番号ＤＮが所望するものであると入力されたならば記憶したデータからその図面番号ＤＮのイメージデータＩＭを選択し端末機５Ｂに出力する機能を有し、そして前記中間処理ユニット４は設計通知が入力されると添付された部品表や製品の設計情報を前記第１のサーバ１に転送するとともにイメージデータＩＭを前記第２のサーバ２に転送し、さらに前記第２のサーバ２が部品番号と図面番号とを関連付けるデータＤを作成して前記データベース７のメンテナンスを行う機能を有している。
【００１２】
また、本発明は、前記第２のサーバ２に所望する部品番号ＰＮが入力され、図面番号ＤＮに変換されてその図面番号ＤＮを端末機５Ｂに出力するに際し、その部品の略図を同時に出力するようにしてもよい。
【００１３】
すなわち、本発明によれば、所望する部品の図面（イメージデータ）を取得する場合、その部品番号を入力すればよく、記載されている図面の図面番号をいちいち検索する必要はない。そして、出力される前に略図（縮小図）が表示されるので異なった図面を誤って出力させるようなことは防止される。また、複数の図面（イメージデータ）が検出された場合においても、表示される略図をみて的確な選択をすることができる。
【００１４】
かかる構成（中間処理ユニット４）によって、前記部品番号と図面番号とを関連付けるデータＤが、設計通知の発行に対応して常時メンテナンス（更新）され、したがって、最新且つ正確なデータが常時検索されるように管理される。
【００１５】
【発明の実施の形態】
以下、図面を参照して本発明の実施形態を説明する。
図１には本発明を実施するシステムの１例が示されている。
製品（商品）の構成を示す部品表や、構成する部品の改廃などの各種設計情報は、第１のサーバ１に記憶されており、この第１のサーバ１は、併設されているホストコンピュータ３と互いに接続されて同期が取られている。
【００１６】
そして、その第１のサーバ１には、中間処理ユニット４（設計図面や部品表の発行・改廃等の処理を行う設計通知等を管理する電子設計通知システム）を介して、設計者が設計通知などの設計情報を入力する端末機５Ａが複数台接続されている。
【００１７】
ホストコンピュータ３には、例えば設計者以外が情報を取得するだけ（設計通知などの入力のできない）に限定されてアクセスできる端末機５Ｃが接続されている。
【００１８】
第２のサーバ２には、その内部のユニット或いは機能ブロックとして、設計図面におけるイメージデータＩＭが記憶されているブロック１２と、部品番号ＰＮと図面番号ＤＮとを関連づけるデータＤが記憶されているデータベース７と、部品番号ＰＮを図面番号ＤＮに変換する変換手段８、とを有している。
データベース７で記憶される前記関連づけデータＤは、前記中間処理ユニット４を介して入力される。
【００１９】
ここで、ブロック１２、データベース７、変換手段８は、サーバ２内に別途設置された別部材として存在するのではなく、サーバ２内をソフトウエア的に仕切ることにより、機能ブロックとして存在するものである。
【００２０】
第２のサーバ２には、イメージデータＩＭを取得するための端末機５Ｂが接続されている。より詳細には、第２のサーバ２内の機能ブロックである変換手段８（部品番号ＰＮを図面番号ＤＮに変換するブロック）が端末機５Ｂに接続されている。
【００２１】
図１では、変換手段８は第２のサーバ２内部のブロックとして表現されているが、端末機５Ｂ内でソフトウエア的に仕切られた機能ブロックとして、端末機５Ｂ内に設けても良い。
すなわち、第２のサーバ２内のブロックであっても、端末機５Ｂ内のブロックであっても、変換手段８は、端末機５Ｂからの部品番号ＰＮの入力に対応し、データベース７の部品番号／図面番号関連づけデータＤを参照し、対応する図面番号ＤＮおよびその略図（縮小図）を表示する様に構成されている。
【００２２】
また、中間処理ユニット４には複数のＣＡＤ端末６が接続されており、さらに中間処理ユニット４から第２のサーバ２に接続されて図面がイメージデータＩＭとしてサーバ２に入力されている。
【００２３】
次に、図２のフローチャートを参照して本発明による図面検索（表示）方法の手順を説明する。
まず、ステップＳ１では、第２のサーバ２への入力データが正しい（部品番号ＰＮ）であるか否かチェックされ、正しければ（ステップＳ１がＯＫ）、ステップＳ２に進む。
【００２４】
ステップＳ２では、変換手段８は、入力された部品番号ＰＮを、部品番号／図面番号関連づけデータＤを参照して、対応する（複数の）図面番号ＤＮに変換する。
ステップＳ２で得られた図面番号ＤＮは、端末機５Ｂに表示される（ステップＳ３）。
【００２５】
図面番号ＤＮが端末機５Ｂに表示されたならば（ステップＳ３）、入力者は所望データかどうかチェックし（ステップＳ４）、所望するデータでなければ（ステップＳ４がＮＧ）ステップＳ１に戻る。
一方、入力者が所望するデータであれば（ステップＳ４がＯＫ）、ステップＳ５にて、出力する図面番号ＤＮを選択指示する。
【００２６】
サーバ２からは対応図面のイメージデータＩＭが送信され、端末機５Ｂに表示される（ステップＳ６）。
そのデータが所望のものでなければ（ステップＳ７がＮＯ）、ステップＳ１に戻る。一方、所要イメージデータＩＭを取得し終えたらならば（ステップＳ７がＹＥＳ）、図２で示す制御を終了する。
【００２７】
ここで、入力者が図面番号について十分な知識を有していない場合には、図２のステップＳ３において図面番号ＤＮが表示されても、所望のイメージデータを有する図面に対応する図面番号であるか否かが不明である。
その様な場合には、ステップＳ３においては、（変換手段８により、）部品番号／図面番号関連づけデータＤを参照して、部品番号ＰＮに対応する略図及び図面番号を出力する。
【００２８】
ここで「略図」なる文言は、例えば縮小されたイメージデータの意味で用いられている。
略図が表示される場合には、部品番号を入力した者は、出力された略図（イメージデータ）及び図面番号から、所望図面を適宜選択すればよい（ステップＳ４、Ｓ５）。
【００２９】
図３には、設計通知の入力に伴って部品番号／図面番号の関連づけデータＤが入力されるフローの態様が示されている。上述した様に、設計変更や設計情報の追加など、あるいは部品構成の改廃・追加新設など（設計通知の発行）が行われた場合には、前記の部品番号ＰＮと図面番号ＤＮとの関連づけデータは、これに対応して常時メンテナンスされ常に最新かつ正確なデータが検索されるように管理されていなければならない。
図３は、係る場合に行われる前記メンテナンスの制御を示している。
【００３０】
まず、ステップＳ１１で、端末機５Ａからの入力が設計通知か否かチェックされる。
入力が設計通知であれば（ステップＳ１１がＹｅｓ）、添付されている部品表ＰＬ等の諸情報は第１のサーバ１に転送され（ステップＳ１２）、ＣＡＤシステム６で作成された図面は、リリース指示によりイメージデータＩＭとして第２のサーバ２に転送される（ステップＳ１３）。
【００３１】
そして、部品表ＰＬなどから部品番号／図面番号の関連づけデータＤが作成されてデータベース７へ出力される（ステップＳ１４）。これにより、前記の部品番号ＰＮと図面番号ＤＮとの関連づけデータは、メンテナンスされて、最新かつ正確なデータとなった。
これらの転送の完了がチェックされて（ステップＳ１５）、このフローを終了する。
【００３２】
図示の実施形態はあくまでも例示であり、本発明の技術的範囲を限定する趣旨の記述ではない旨を付記する。例えば図示で別個の端末機として表現されている端末機５Ａ、５Ｂは同一の端末機であっても良い。
【００３３】
【発明の効果】
本発明は以上説明したように構成され、以下に示す効果を奏する。
（１）  所望する部品の図面（イメージデータ）を取得する場合、その部品番号を入力すればよく、記載図面の図面番号をいちいち検索する必要がない。
（２）  対象図面が複数検索された場合、略図（縮小図）が一覧表示されるので、容易かつ的確に所望図面を選択できる。
（３）  部品番号ＰＮと図面番号ＤＮとの関連づけデータは、設計に関する事項が変更する度にメンテナンスされ、最新かつ正確なデータとなる。
【図面の簡単な説明】
【図１】本発明を実施する図面検索システムの一実施形態を示す構成図。
【図２】本発明の図面検索方法の手順を示すフローチャート図。
【図３】部品番号／図面番号の関連づけデータの入力についてのフローチャート図。
【図４】従来の図面検索システムの一例を示す構成図。
【符号の説明】
１・・・第１のサーバ
２・・・第２のサーバ
３・・・ホストコンピュータ
４・・・中間処理ユニット
５Ａ、５Ｂ、５Ｃ・・・端末機
６・・・ＣＡＤ
【図１】
0003922949.tif 000002
【図２】
0003922949.tif 000003
【図３】
0003922949.tif 000004
【図４】
0003922949.tif 000005